(57)【要約】【課題】簡単な操作により洗浄液を噴出することができると共に、患者に応じて噴出する洗浄液の形状を可変にすることができる携帯洗浄器を提供する。【解決手段】可撓性を有する容器本体１の上部に、吐出口５を上端に有する円筒状体４を天板部６に備えた主キャップ２を設けると共に、中心噴出口７と周りのシャワー噴出口８とを有する補助キャップ３を設け、この補助キャップ３を主キャップ２の前記円筒状体４に上下方向に変位可能に設けてあり、該補助キャップ３を上下方向に変位させて洗浄液を前記中心噴出口７のみから噴出させるか又は中心噴出口７とシャワー噴出口８の両方から噴出させるようにした。【選択図】　　　　　図１
2004121704.tif 000002
【特許請求の範囲】
【請求項１】
可撓性を有する容器本体の上部に、吐出口を上端に有する円筒状体を天板部に備えた主キャップを設けると共に、中心噴出口と周りのシャワー噴出口とを有する補助キャップを設け、この補助キャップを主キャップの前記円筒状体に上下方向に変位可能に設けてあり、該補助キャップを上下方向に変位させて洗浄液を前記中心噴出口のみから噴出させるか又は中心噴出口とシャワー噴出口の両方から噴出させるようにしてある携帯洗浄器。
【請求項２】
前記吐出口に前記円筒状体と同心円状にフランジ部を設けると共に、前記主キャップには連通孔と中心突部を設け、この中心突部の肩部を弁座とし、前記補助キャップの天板部には内周面が前記弁座に接し外周面が前記フランジ部に接するように止水環状体を設けた請求項１に記載の携帯洗浄器。
【請求項３】
前記補助キャップの天板部を球面状に成形した請求項１又は２に記載の携帯洗浄器。
【請求項４】
前記補助キャップには、前記止水環状体の内側の天板部に大径の噴出口を設け、前記止水環状体の外側の天板部に複数個の小径のシャワー噴出口を楕円状に設けた請求項２又は３に記載の携帯洗浄器。
【請求項５】
前記補助キャップが弾性を有する請求項１乃至４のいずれかに記載の携帯洗浄器。
【請求項６】
前記主キャップに逆止弁を設けた請求項１乃至５のいずれかに記載の携帯洗浄器。
【請求項７】
前記逆止弁は、環状弁座を前記円筒状体の下部に設け、前記環状弁座にバネ弾力を付勢して球状弁体を離着座自在に設け、容器本体内の洗浄液を前記吐出口方向へ通すが逆方向の流体は閉止するようにしてある請求項６に記載の携帯洗浄器。
【請求項８】
前記容器本体が透明又は半透明な合成樹脂からなる請求項１乃至７のいずれかに記載の携帯洗浄器。
【請求項９】
前記容器本体の胴部に温度表示部を設けた請求項１乃至８のいずれかに記載の携帯洗浄器。
【請求項１０】
前記容器本体の内側に柔軟性を有する洗浄液収容袋を設け、洗浄液の減少に伴って洗浄液収容袋の容積が減少するようにした請求項１乃至９のいずれかに記載の携帯洗浄器。
【発明の詳細な説明】
【０００１】
【発明の属する技術分野】
本発明は、身体の洗浄に使用する携帯洗浄器に関する。
【０００２】
【従来の技術】
従来、噴出口を有するキャップを容器本体に設け、この容器本体に洗浄液を入れて携帯することができ、必要なときに容器本体の胴部を押圧することにより噴出口から洗浄液を噴出させて、臀部等の身体の一部を洗浄するようにした携帯用の洗浄器は知られている（例えば、特許文献１参照）。
【０００３】
【特許文献１】
特開２００２−１４３０３２号公報
【０００４】
【発明が解決しようとする課題】
しかし、寝たきりの患者を介護する場合においては、片手で洗浄器を使用することが多いことから、簡単な操作により洗浄液を噴出することができると共に、患者に応じて噴出する洗浄液の形状を可変にすることができる洗浄器が望まれている。また、病院等の施設内の使用においては、洗浄液を介しての院内感染を防止するために洗浄液を清潔に保つ必要がある。
【０００５】
【課題を解決するための手段】
そこで、本発明は、上記課題を解決するために、可撓性を有する容器本体の上部に、吐出口を上端に有する円筒状体を天板部に備えた主キャップを設けると共に、中心噴出口と周りのシャワー噴出口とを有する補助キャップを設け、この補助キャップを主キャップの前記円筒状体に上下方向に変位可能に設けてあり、該補助キャップを上下方向に変位させて洗浄液を前記中心噴出口のみから噴出させるか又は中心噴出口とシャワー噴出口の両方から噴出させるようにしてある携帯洗浄器を提供するものである。
本発明によれば、補助キャップを上下方向に変位させるという簡単な操作により、洗浄液を中心噴出口のみから噴出させるか又は中心噴出口とシャワー噴出口の両方から噴出させるように切り替えて使用することができる。
【０００６】
また、本発明は、前記吐出口に前記円筒状体と同心円状にフランジ部を設けると共に、前記主キャップには連通孔と中心突部を設け、この中心突部の肩部を弁座とし、前記補助キャップの天板部には内周面が前記弁座に接し外周面が前記フランジ部に接するように止水環状体を設けた請求項１に記載の携帯洗浄器を提供するものである。
本発明によれば、止水環状体の内周面が弁座に接すると止水環状体の内側に設けた中心噴出口を止水することができ、また、止水環状体の外周面がフランジ部に接すると止水環状体の外側に設けたシャワー噴出口を止水することができ、補助キャップを上下方向に変位させることにより洗浄液を噴出させる噴出口を止水環状体の内外で切り替えて使用することができる。
【０００７】
また、本発明は、前記補助キャップの天板部を球面状に成形した請求項１又は２に記載の携帯洗浄器を提供するものである。
本発明によれば、球面状の天板部に設けられたシャワー噴出口から洗浄液が放射状に噴出されるから、広い範囲を一度に洗浄することができる。
【０００８】
また、本発明は、前記補助キャップには、前記止水環状体の内側の天板部に大径の噴出口を設け、前記止水環状体の外側の天板部に複数個の小径のシャワー噴出口を楕円状に設けた請求項２又は３に記載の携帯洗浄器を提供するものである。
本発明によれば、洗浄液を大径の噴出口のみから噴出させることにより、比較的強い水流で洗浄することができ、一方、洗浄液を複数個のシャワー噴出口から噴出させることにより、比較的弱い水流で洗浄することができる。また、複数個のシャワー噴出口を楕円状に設けたから例えば臀部の形状に合わせて洗浄液を噴出することができる。
【０００９】
また、本発明は、前記補助キャップが弾性を有する請求項１乃至４のいずれかに記載の携帯洗浄器を提供するものである。
【００１０】
また、本発明は、前記主キャップに逆止弁を設けた請求項１乃至５のいずれかに記載の携帯洗浄器を提供するものである。
本発明によれば、逆止弁によって外部から容器本体内への空気の侵入を防止することができ、容器本体内の洗浄液を清潔に保つことができる。
【００１１】
また、本発明は、前記逆止弁は、環状弁座を前記円筒状体の下部に設け、前記環状弁座にバネ弾力を付勢して球状弁体を離着座自在に設け、容器本体内の洗浄液を前記吐出口方向へ通すが逆方向の流体は閉止するようにしてある請求項６に記載の携帯洗浄器を提供するものである。
本発明によれば、容器本体を押圧することによって容器本体内の圧力が高くなり、球状弁体がバネ弾力に抗して環状弁座から離れて容器本体内の洗浄液を噴出させることができ、押圧を止めるとバネ弾力により球状弁体が環状弁座に着座して外部からの空気の侵入を防止することができるのみならず、不用意に容器本体を転倒した場合でも容器本体内の洗浄液が外に漏れることを防止することができる。
【００１２】
また、本発明は、前記容器本体が透明又は半透明な合成樹脂からなる請求項１乃至７のいずれかに記載の携帯洗浄器を提供するものである。
本発明によれば、容器本体内の洗浄液を視認できるから、洗浄液の残量を一目で把握することができる。
【００１３】
また、本発明は、前記容器本体の胴部に温度表示部を設けた請求項１乃至８のいずれかに記載の携帯洗浄器を提供するものである。
本発明によれば、温度表示部により容器本体内の洗浄液の温度を管理することができる。
【００１４】
また、本発明は、前記容器本体の内側に柔軟性を有する洗浄液収容袋を設け、洗浄液の減少に伴って洗浄液収容袋の容積が減少するようにした請求項１乃至９のいずれかに記載の携帯洗浄器を提供するものである。
本発明によれば、洗浄液の減少に伴って洗浄液収容袋の容積が減少するようにしたから、洗浄液収納袋内に外部からの空気の侵入を防止することができる。
【００１５】
【発明の実施の形態】
本発明の実施の形態を図示の実施例に基づいて説明する。
本発明に係る携帯洗浄器は、可撓性を有する容器本体１の上部に、吐出口５を上端に有する円筒状体４を天板部６に備えた主キャップ２を設けると共に、中心噴出口７と周りのシャワー噴出口８とを有する補助キャップ３を設け、この補助キャップ３を主キャップ２の前記円筒状体４に上下方向に変位可能に設けてあり、該補助キャップ３を上下方向に変位させて洗浄液を前記中心噴出口７のみから噴出させるか又は中心噴出口７とシャワー噴出口８の両方から噴出させるように構成してある。
【００１６】
図１に示す実施例において、容器本体１は、ポリプロピレン、ポリエチレン等の透明又は半透明な合成樹脂からなり、胴部９を押圧することにより容易に変形して容器本体１内に収容した洗浄液を噴出することができるようにしてある。
また、容器本体１の胴部９には、凸又は凹形状により容量目盛１２を設けてあり、図示の実施例では、５０ｍｌ毎に容量目盛１２を設けて洗浄液の使用量の目安になるように構成してある。
【００１７】
さらに、容器本体１の胴部９には、温度表示部１３を設けてある。
温度表示部１３は、温度を感知してこの温度に対応する部分を表示させるようにした温度シールからなり、該温度シールを容器本体１の胴部９に貼り付けてある。図示の実施例では、約３６〜４０℃で「適温」、約３６℃以下で「冷たい」、約４０℃以上で「熱い」と色分けして表示するようにしてある。なお、温度を数値で表示するように設けることも勿論可能である。
【００１８】
図１に示す実施例において、主キャップ２は、合成樹脂の一体成形品からなり、図５に示すように、吐出口５に円筒状体４と同心円状にフランジ部１４を設けると共に、主キャップ２には連通孔１５と中心突部１６を設け、この中心突部１６の肩部を弁座１７としてある。主キャップ２のスカート部１９には、キャップ側ねじ部２０を設けてあり、容器本体１の口部１０に設けた容器側ねじ部１１に主キャップ２をねじ込み装着することができるように構成してある。
従って、主キャップ２を容器本体１の口部１０から外して、容器本体１、主キャップ２及び補助キャップ３を洗浄し、容器本体１に洗浄液を充填して再使用することができる。
【００１９】
円筒状体４の上面には、円筒状体４と同心円状に吐出口５を設けてあり、吐出口５には下向きに円筒状のフランジ部１４を設けてある。
また、円筒状体４の外周面上部には、補助キャップ３が摺動する摺動面２１を設けてあり、円筒状体４の外周面下部は、摺動面２１より小径に成形して顎部２６を設けてあると共に、円周状に２個の位置決めリブ２２ａ、２２ｂを設けてある。
【００２０】
図１に示す実施例では、中心突部１６は、図５に示すように、主キャップ２の天板部６に円筒状体４と同軸状に設けてあり、弁座１７はフランジ部１４の下端と上端の間の位置に設けてある。中心突部１６の上端には、嵌合突起１８を設けてあり、補助キャップ３を最下部まで押し下げたときに嵌合突起１８が中心噴出口７に嵌合するように構成してある。
また、連通孔１５は、主キャップ２の天板部６に容器本体１内と円筒状体４内を連通するように設けてあり、容器本体１内の洗浄液を連通孔１５を通って吐出口５から吐出することができるようにしてある。
【００２１】
図１に示す実施例において、補助キャップ３は、ポリプロピレン、ポリエチレン等の弾性を有する合成樹脂の一体成形品からなる。
補助キャップ３の天板部２３には、下向きに止水環状体２４を設けてあり、止水環状体２４の内周面が弁座１７に接し外周面がフランジ部１４に接するように構成してある。
補助キャップ３には、止水環状体２４の内側の天板部２３に大径の中心噴出口７を設け、止水環状体２４の外側の天板部２３に複数個の小径のシャワー噴出口８を楕円状に設けてある。また、補助キャップ３の天板部２３は、球面状に成形してあり、洗浄液をシャワー噴出口８から放射状に噴出することができるように構成してある。
【００２２】
補助キャップ３の胴部２５は、円筒状体４の摺動面２１に沿って摺動するようにしてあり、補助キャップ３を上下方向に変位させても洗浄液が漏れ出さないようにしてある。
また、補助キャップ３の胴部２５の下部には、突起部２７を設けてあり、突起部２７が胴部２５の弾性により位置決めリブ２２ａ、２２ｂを乗り越えて変位することにより、補助キャップ３を上下方向に位置決め可能に変位させることができるようにしてある。また、突起部２７は、円筒状体４の顎部２６と係合するように設けてあり、補助キャップ３が円筒状体４から外れないように構成してある。なお、補助キャップ３を上下方向に変位させることができればよいから、位置決めリブ２２ａ、２２ｂを設けない構成とすることも可能である。
【００２３】
次に、上記のように構成された携帯洗浄器の作用について説明する。
図２に示すように、補助キャップ３を最下部まで押し下げた状態では、止水環状体２４がフランジ部１４及び弁座１７に接して、中心噴出口７及びシャワー噴出口８は閉止状態（図中の黒丸）になっており、容器本体１は密閉されている。このとき、補助キャップ３の突起部２７は円筒状体４の下側の位置決めリブ２２ｂと係合して容器本体１の密閉状態を維持するようにしてある。
【００２４】
図３に示すように、補助キャップ３を引き上げて突起部２７が上側の位置決めリブ２２ａと下側の位置決めリブ２２ｂの間に係合している状態では、止水環状体２４はフランジ部１４にのみ接して、シャワー噴出口８のみ閉止状態になっている。一方、中心噴出口７は、止水環状体２４と弁座１７の間を通って通水状態（図中の白丸）になり、容器本体１の胴部９を押圧することにより中心噴出口７から一本水流の洗浄液を噴出することができる。
【００２５】
図４に示すように、さらに補助キャップ３を引き上げて突起部２７が上側の位置決めリブ２２ａと顎部２６の間に係合している状態では、止水環状体２４はフランジ部１４及び弁座１７のいずれとも接しないから、中心噴出口７及びシャワー噴出口８の両方が通水状態になり、容器本体１の胴部９を押圧することにより中心噴出口７及びシャワー噴出口８からシャワー状に洗浄液を噴出することができる。
【００２６】
また、図６に示す実施例のように、本発明に係る携帯洗浄器は、主キャップ２に逆止弁を設けた構成とすることもできる。
逆止弁は、環状弁座２８を有する環状体３０を円筒状体４の下部に設け、環状弁座２８にバネ弾力を付勢して球状弁体２９を離着座自在に設け、容器本体１内の洗浄液を吐出口５の方向へ通すが逆方向の流体は閉止するように構成してある。
【００２７】
図６に示す実施例において、環状体３０は、中心に設けた連通孔３３と、該連通孔３３の上部に設けた環状弁座２８と、球状弁体２９をガイドするガイド部３４からなり、環状体３０の外周に設けた顎部３５と円筒状体４に設けた顎部３６を係合させて円筒状体４の下部に嵌入してある。ガイド部３４には、切欠部３８を設けてあり、球状弁体２９が環状弁座２８から離れたときに洗浄液を通すようにしてある。
中心突部１６は、円筒状体４の胴部３９に設けた仕切板３１に立設してあり、中心突部１６の下部には凹状のバネ座３２を設け、バネ３７により球状弁体２９を環状弁座２８にバネ弾力を付勢して着座してある。
【００２８】
上記構成により、洗浄器の使用時には、容器本体１の胴部９を押圧することによって容器本体１内の圧力が高くなり、球状弁体２９がバネ弾力に抗して上方に押されて環状弁座２８から離れることにより、切欠部３８を通って容器本体１内の洗浄液を噴出させることができる。一方、押圧を止めるとバネ弾力により球状弁体２９が、再び環状弁座２８に着座して外部から容器本体１内への空気の侵入を防止することができるから、洗浄液内への細菌の混入を防止して清潔に保つことができる。また、補助キャップ３を上に引き上げた状態で不用意に容器本体１を転倒した場合でも、バネ弾力により球状弁体２９の環状弁座２８への着座を維持でき、容器本体１内の洗浄液が外に漏れることを防止することができる。
【００２９】
また、図６に示す実施例において、容器本体１の内側に柔軟性を有する洗浄液収容袋を設け、洗浄液の減少に伴って洗浄液収容袋の容積が減少するように構成することもできる。このとき、容器本体１に外部から内部方向にのみ空気を通す逆止弁を設けることにより、容器本体１自体の容積は減少しないから、容器本体１の胴部９を押圧して容易に洗浄液を噴出させることができる。
なお、容器本体１、主キャップ２及び補助キャップ３は、携帯洗浄器及び洗浄液を清潔に保つことができるように、抗菌素材を使用することが好ましい。
【００３０】
【発明の効果】
以上の通り、本発明に係る携帯洗浄器によれば、可撓性を有する容器本体の上部に、吐出口を上端に有する円筒状体を天板部に備えた主キャップを設けると共に、中心噴出口と周りのシャワー噴出口とを有する補助キャップを設け、この補助キャップを主キャップの前記円筒状体に上下方向に変位可能に設けてあり、該補助キャップを上下方向に変位させて洗浄液を前記中心噴出口のみから噴出させるか又は中心噴出口とシャワー噴出口の両方から噴出させるようにした構成を有することにより、補助キャップを上下方向に変位させるという簡単な操作により、洗浄液を中心噴出口のみから噴出させるか又は中心噴出口とシャワー噴出口の両方から噴出させるように切り替えて使用することができる効果がある。
【００３１】
また、本発明は、前記吐出口に前記円筒状体と同心円状にフランジ部を設けると共に、前記主キャップには連通孔と中心突部を設け、この中心突部の肩部を弁座とし、前記補助キャップの天板部には内周面が前記弁座に接し外周面が前記フランジ部に接するように止水環状体を設けた請求項１に記載の構成を有することにより、止水環状体の内周面が弁座に接すると止水環状体の内側に設けた中心噴出口を止水することができ、また、止水環状体の外周面がフランジ部に接すると止水環状体の外側に設けたシャワー噴出口を止水することができるから、補助キャップを上下方向に変位させることにより洗浄液を噴出させる噴出口を止水環状体の内外で切り替えて使用することができる効果がある。
【００３２】
また、本発明は、前記補助キャップの天板部を球面状に成形した請求項１又は２に記載の構成を有することにより、球面状の天板部に設けられたシャワー噴出口から洗浄液が放射状に噴出されるから、広い範囲を一度に洗浄することができる効果がある。
【００３３】
また、本発明は、前記補助キャップには、前記止水環状体の内側の天板部に大径の噴出口を設け、前記止水環状体の外側の天板部に複数個の小径のシャワー噴出口を楕円状に設けた請求項２又は３に記載の構成を有することにより、洗浄液を大径の噴出口のみから噴出させることにより、比較的強い水流で洗浄することができ、一方、洗浄液を複数個のシャワー噴出口から噴出させることにより、比較的弱い水流で洗浄することができる。また、複数個のシャワー噴出口を楕円状に設けたから例えば臀部の形状に合わせて洗浄液を噴出することができる効果がある。
【００３４】
また、本発明は、前記補助キャップが弾性を有する請求項１乃至４のいずれかに記載の構成を有することにより、弾性により補助キャップを円筒状体に密着させて設けることができる。
【００３５】
また、本発明は、前記主キャップに逆止弁を設けた請求項１乃至５のいずれかに記載の構成を有することにより、逆止弁によって外部から容器本体内への空気の侵入を防止することができ、容器本体内の洗浄液を清潔に保つことができる効果がある。
【００３６】
また、本発明は、前記逆止弁は、環状弁座を前記円筒状体の下部に設け、前記環状弁座にバネ弾力を付勢して球状弁体を離着座自在に設け、容器本体内の洗浄液を前記吐出口方向へ通すが逆方向の流体は閉止するようにしてある請求項６に記載の構成を有することにより、容器本体を押圧することによって容器本体内の圧力が高くなり、球状弁体がバネ弾力に抗して環状弁座から離れて容器本体内の洗浄液を噴出させることができ、押圧を止めるとバネ弾力により球状弁体が環状弁座に着座して外部からの空気の侵入を防止することができるのみならず、不用意に容器本体を転倒した場合でも容器本体内の洗浄液が外に漏れることを防止することができる効果がある。
【００３７】
また、本発明は、前記容器本体が透明又は半透明な合成樹脂からなる請求項１乃至７のいずれかに記載の構成を有することにより、容器本体内の洗浄液を視認できるから、洗浄液の残量を一目で把握することができる効果がある。
【００３８】
また、本発明は、前記容器本体の胴部に温度表示部を設けた請求項１乃至８のいずれかに記載の構成を有することにより、温度表示部により容器本体内の洗浄液の温度を管理することができる効果がある。
【００３９】
また、本発明は、前記容器本体の内側に柔軟性を有する洗浄液収容袋を設け、洗浄液の減少に伴って洗浄液収容袋の容積が減少するようにした請求項１乃至９のいずれかに記載の構成を有することにより、洗浄液の減少に伴って洗浄液収容袋の容積が減少するようにしたから、洗浄液収納袋内に外部からの空気の侵入を防止することができる効果がある。
【図面の簡単な説明】
【図１】本発明の一実施例を示す一部縦断正面図
【図２】一実施例の要部を示す断面図
【図３】一実施例の要部を示す断面図
【図４】一実施例の要部を示す断面図
【図５】一実施例の要部を示すＡ−Ａ線断面図
【図６】他の実施例の要部を示す断面図
【符号の説明】
１　容器本体
２　主キャップ
３　補助キャップ
４　円筒状体
５　吐出口
６　天板部
７　中心噴出口
８　シャワー噴出口
９　胴部
１０　口部
１１　容器側ねじ部
１２　容量目盛
１３　温度表示部
１４　フランジ部
１５　連通孔
１６　中心突部
１７　弁座
１８　嵌合突起
１９　スカート部
２０　キャップ側ねじ部
２１　摺動面
２２ａ、２２ｂ　位置決めリブ
２３　天板部
２４　止水環状体
２５　胴部
２６　顎部
２７　突起部
２８　環状弁座
２９　球状弁体
３０　環状体
３１　仕切板
３２　バネ座
３３　連通孔
３４　ガイド部
３５、３６　顎部
３７　バネ
３８　切欠部
３９　胴部
【図１】
2004121704.tif 000003
【図２】
2004121704.tif 000004
【図３】
2004121704.tif 000005
【図４】
2004121704.tif 000006
【図５】
2004121704.tif 000007
【図６】
2004121704.tif 000008